(57)【要約】【課題】  全体における均一な照射性能及び所定の明るさ性能を確保できる発光ダイオードを用いた照明用品、特に、蛍光管に似せた好適な照明用品の容易な実用化を図る。【解決手段】  少なくとも蛍光管を装着するソケットに対して着脱する口金部２ａ，２ｂを有する照明用品１を構成するに際して、透明又は半透明のエンベロープ部３と、このエンベロープ部３に付設した口金部２ａ，２ｂと、エンベロープ部３の内部に収容し、所定長さの光ファイバー５…の一端又は両端に発光ダイオード６ｐ…，６ｑ…が対向する一又は二以上の発光ユニット４…を配列させた発光部７と、口金部２ａ，２ｂに入力する一次電源Ｐｆを直接又は二次電源Ｐｓに変換して発光ダイオード６ｐ…，６ｑ…に付与する電源回路部８とを備える。【選択図】  図１
2010165465.tif 000002
【特許請求の範囲】
【請求項１】
少なくとも蛍光管を装着するソケットに対して着脱する口金部を有する照明用品であって、透明又は半透明のエンベロープ部と、このエンベロープ部に付設した前記口金部と、前記エンベロープ部の内部に収容し、所定長さの光ファイバーの一端又は両端に発光ダイオードが対向する一又は二以上の発光ユニットを配列させた発光部と、前記口金部に入力する一次電源を直接又は二次電源に変換して前記発光ダイオードに付与する電源回路部とを備えてなることを特徴とする照明用品。
【請求項２】
前記光ファイバーは、外周面の一部における軸方向に、当該軸方向に対して直角方向となる断面Ｖ形の溝部又は断面三角形の山部を順次形成し、外周面の残部を照射面として用いることを特徴とする請求項１記載の照明用品。
【請求項３】
前記光ファイバーは、中空部を有するパイプ形に形成することにより、内周面の軸方向に、リング状又はスパイラル状の溝部を順次形成し、外周面を照射面として用いることを特徴とする請求項１記載の照明用品。
【請求項４】
前記溝部の断面Ｖ形の角度は、７５〜９０〔゜〕に選定することを特徴とする請求項２又は３記載の照明用品。
【請求項５】
前記溝部の深さは、前記光ファイバーの直径に対して５〜５０〔％〕に選定することを特徴とする請求項２〜４のいずれかに記載の照明用品。
【請求項６】
前記溝部の深さは、前記光ファイバーの軸方向の位置に対応して異ならせることを特徴とする請求項２〜５のいずれかに記載の照明用品。
【請求項７】
前記溝部の表面には、所定の反射処理部を設けてなることを特徴とする請求項２〜６のいずれかに記載の照明用品。
【発明の詳細な説明】
【技術分野】
【０００１】
本発明は、少なくとも蛍光管を装着するソケットに対して着脱する口金部を有する照明用品に関する。
【背景技術】
【０００２】
近時、照明装置に用いる照明用品は、旧来より広く用いられている電球や蛍光管から、消費電力が少なく、寿命の長い発光ダイオードを用いた照明用品に置き換わりつつある。発光ダイオードは、点光源であり、一個当たりの明るさも限られるとともに、電球や蛍光管に比べて発光原理が全く異なるため、発光ダイオードを含む専用の照明装置を構成する必要がある。
【０００３】
一方、発光ダイオードを用いた照明用品の全体形態を電球や蛍光管に似せて構成すれば、電球や蛍光管が着脱するソケット側における照明装置の本体側をそのまま利用できる利点があり、このような照明用品としては、特許文献１で開示される照明装置が知られている。同文献１に開示される照明装置は、エンベロープ，口金，固体光源及び光学手段を有しており、光学手段は、光アウトカップリング表面を備え、固体光源は、光学手段に対して光結合する。光学手段は、螺旋状に巻かれた光ファイバを備え、従来の電球と同様に形成される透明なエンベロープの使用により、炭素電球等の従来の白熱電球に類似する照明装置（照明用品）となる。
【先行技術文献】
【特許文献】
【０００４】
【特許文献１】特表２００８−５１５１５８号公報
【発明の概要】
【発明が解決しようとする課題】
【０００５】
しかし、上述した従来の照明装置（照明用品）は、次のような問題点があった。
【０００６】
即ち、上述した照明装置は、電球の形態を真似た照明装置として構成するため、他の照明用品である蛍光管にはそのまま適用できない。特に、一般的な直管形の蛍光管は、細長く、しかも、発光原理が電球とは異なるため、そのまま適用することが困難となる。また、蛍光管は、細長いエンベロープ部の周面に均一な発光が可能になるなどの相応の優位性を有しているため、発光ダイオードを用いた照明用品の優位性を確保するには、均一な照射性能を実現するとともに、一定の消費電力当たりの明るさ性能を高める必要がある。しかし、発光ダイオードは点光源となることから、均一な照射性能を確保し、かつ全体の明るさ性能を高めるのは容易でなく、従来より、このような課題を有効に解決する発光ダイオードを用いた照明用品、特に、蛍光管を装着するソケットに対して着脱する口金部を有する照明用品の実用化が要請されていた。
【０００７】
本発明は、このような背景技術に存在する課題を解決した照明用品の提供を目的とするものである。
【課題を解決するための手段】
【０００８】
本発明は、上述した課題を解決するため、少なくとも蛍光管を装着するソケットに対して着脱する口金部２ａ，２ｂを有する照明用品１を構成するに際して、透明又は半透明のエンベロープ部３と、このエンベロープ部３に付設した口金部２ａ，２ｂと、エンベロープ部３の内部に収容し、所定長さの光ファイバー５…の一端又は両端に発光ダイオード６ｐ…，６ｑ…が対向する一又は二以上の発光ユニット４…を配列させた発光部７と、口金部２ａ，２ｂに入力する一次電源Ｐｆを直接又は二次電源Ｐｓに変換して発光ダイオード６ｐ…，６ｑ…に付与する電源回路部８とを備えることを特徴とする。
【０００９】
この場合、発明の好適な態様により、光ファイバー５は、外周面５ｆの一部５ｆｐにおける軸方向Ｆａに、当該軸方向Ｆａに対して直角方向となる断面Ｖ形の溝部１１…を順次形成し、外周面５ｆの残部５ｆｒを照射面として用いることができる。また、光ファイバー５は、中空部５ｏを有するパイプ形に形成することにより、内周面５ｉの軸方向Ｆａに、リング状又はスパイラル状の溝部１１…を順次形成し、外周面５ｆを照射面として用いることもできる。なお、溝部１１の断面Ｖ形の角度Ｒは、７５〜９０〔゜〕に選定するとともに、溝部１１の深さＤｄは、光ファイバー５の直径Ｄｒに対して５〜５０〔％〕に選定することが望ましい。この際、溝部１１…の深さＤｄ…は、光ファイバー５の軸方向Ｆａの位置に対応して異ならせることができるとともに、溝部１１…の表面には、所定の反射処理部１２を設けることもできる。
【発明の効果】
【００１０】
このような構成を有する本発明に係る照明用品１によれば、次のような顕著な効果を奏する。
【００１１】
（１）  透明又は半透明のエンベロープ部３と、このエンベロープ部３に付設した口金部２ａ，２ｂと、エンベロープ部３の内部に収容し、所定長さの光ファイバー５…の一端又は両端に発光ダイオード６ｐ…，６ｑ…が対向する発光ユニット４…を配列させた発光部７と、口金部２ａ，２ｂに入力する一次電源Ｐｆを直接又は二次電源Ｐｓに変換して発光ダイオード６ｐ…，６ｑ…に付与する電源回路部８とを備えるため、全体における均一な照射性能及び所定の明るさ性能を確保できる発光ダイオード６ｐ…，６ｑ…を用いた照明用品１、特に、蛍光管に似せた好適な照明用品１を容易に実用化することができる。
【００１２】
（２）  好適な態様により、外周面５ｆの一部５ｆｐにおける軸方向Ｆａに、当該軸方向Ｆａに対して直角方向となる断面Ｖ形の溝部１１…を順次形成し、外周面５ｆの残部５ｆｒを照射面とした光ファイバー５を用いれば、溝部１１…を形成しない光ファイバーに比べて、一定の消費電力当たりの明るさをより高めることができる。
【００１３】
（３）  好適な態様により、中空部５ｏを有するパイプ形に形成することにより、内周面５ｉの軸方向Ｆａに、リング状又はスパイラル状の溝部１１…を順次形成し、外周面５ｆを照射面とした光ファイバー５を用いれば、溝部１１…を形成しない光ファイバーに比べて、より明るさを高めることができることに加え、特に、光ファイバー５における外周面５ｆの全面を照射面にできるため、使い勝手や汎用性をより高めることができる。しかも、中空部５ｏを有するため、大幅な重量削減を図ることができる。
【００１４】
（４）  好適な態様により、溝部１１の角度Ｒを、７５〜９０〔゜〕に選定すれば、明るさを高める観点から最も大きなパフォーマンスを得ることができる。
【００１５】
（５）  好適な態様により、溝部１１の深さＤｄを、光ファイバー５の直径Ｄｒに対して５〜５０〔％〕に選定すれば、良好な加工性を確保することができる。
【００１６】
（６）  好適な態様により、溝部１１…の深さＤｄ…を、光ファイバー５の軸方向Ｆａの位置に対応して異ならせれば、光ファイバー５の軸方向Ｆａにおける照射量，照射範囲及び照射方向等の照射特性を任意に調整することができ、発光ユニット４…の配列構成等に対応した最適な照射特性を設定することができる。
【００１７】
（７）  好適な態様により、溝部１１…の表面に、所定の反射処理部１２を設ければ、反射処理部１２を設けない場合に比べて、より明るさを高めることができるとともに、反射材の塗布等により容易に実施することができる。
【図面の簡単な説明】
【００１８】
【図１】本発明の好適実施形態に係る照明用品の一部抽出拡大図を含む一部断面正面図、
【図２】同照明用品の一部断面底面図、
【図３】同照明用品に用いる光ファイバーの一部を示す正面及び側面の断面図、
【図４】同照明用品に用いる光ファイバーの軸方向の位置に対する溝部の深さの関係図、
【図５】同照明用品に用いる発光ダイオードのレイアウト図、
【図６】同照明用品の電気系回路図、
【図７】本発明の変更実施形態に係る照明用品に用いる光ファイバーの側面図、
【図８】同光ファイバーの一部を示す断面正面図、
【図９】本発明の他の変更実施形態に係る照明用品の一部を示す底面及び一部側面の断面図並びに同照明用品の一部を抽出した底面及び側面の断面図、
【発明を実施するための形態】
【００１９】
次に、本発明に係る好適実施形態を挙げ、図面に基づき詳細に説明する。
【００２０】
まず、本実施形態に係る照明用品１の構成について、図１〜図６を参照して具体的に説明する。
【００２１】
照明用品１の外観構成は、一般的な蛍光管（放電管）に似せて構成する。例示の照明用品１は、直管形の蛍光管に似せている。照明用品１において、３はエンベロープ部であり、一般的な蛍光管の形態と同様に、乳白色（半透明）のガラス素材又はプラスチック素材等により円筒形に形成する。この場合、蛍光管自体を構成するものではないため、内面に蛍光物質を塗布するなどの必要はない。また、エンベロープ部３の両端には、口金部２ａ，２ｂを設ける。一方の口金部２ａは、外方に突出した一対の電極ピン２ａｍ，２ａｎを有するとともに、他方の口金部２ｂは、外方に突出した一対の電極ピン２ｂｍ，２ｂｎを有する。各電極ピン２ａｍ，２ａｎ，２ｂｍ，２ｂｎは、一般的な蛍光管を装着するソケットに対して着脱できるように、その形状及び位置等を選定する。
【００２２】
一方、エンベロープ部３の内部には発光部７と電源回路部８を収容する。発光部７は、複数の発光ユニット４…を配列させて構成する。このため、図１及び図２に示すように、プリント配線基板２１を使用し、このプリント配線基板２１に複数の発光ユニット４…を配列させて実装する。発光ユニット４は、図１に示す抽出拡大図のように、所定長さの光ファイバー５の両端に白色発光ダイオード（ＬＥＤ）６ｐ，６ｑを対向させて構成する。なお、２２ｐ，２２ｑはＬＥＤ６ｐ，６ｑを実装する装着部材であり、この装着部材２２ｐ，２２ｑは、光ファイバー５の両端に装着することができる。各装着部材２２ｐ，２２ｑに実装するＬＥＤ６ｐ，６ｑ…の数量は任意であり、例えば、光ファイバー５の直径Ｄｒが６〔ｍｍ〕の場合には、図５（ａ）に示すように、各装着部材２２ｐ，２２ｑにそれぞれ１個のＬＥＤ６ｐ，６ｑを実装できるとともに、光ファイバー５の直径Ｄｒが１４〔ｍｍ〕の場合には、図５（ｂ）に示すように、各装着部材２２ｐ，２２ｑにそれぞれ３個のＬＥＤ６ｐ…，６ｑ…を実装できる。
【００２３】
光ファイバー５には、合成樹脂素材を用いた軟質の光ファイバーを使用する。そして、図３及び図４に示すように、光ファイバー５の外周面５ｆの一部５ｆｐにおける軸方向Ｆａに、当該軸方向Ｆａに対して直角方向となる断面Ｖ形の溝部１１ｓ…を順次形成し、外周面５ｆの残部５ｆｒを照射面として用いる。この場合、断面Ｖ形の角度Ｒは、７５〜９０〔゜〕、望ましくは８４〔゜〕に選定し、図３に示すように、軸方向Ｆａに対する直角線に対して両側の角度Ｒａ，Ｒｂを同一となる４２〔゜〕に設定して二等辺三角形状に形成する。このような溝部１１ｓ…を形成すれば、溝部１１ｓ…を形成しない光ファイバーに比べて、一定の消費電力当たりの明るさをより高めることができる。特に、溝部１１ｓの角度を、７５〜９０〔゜〕に選定すれば、明るさを高める観点から最も大きなパフォーマンスを得ることができるとともに、８４〔゜〕に選定すれば、その中でも最良の効果を得ることができる。
【００２４】
また、溝部１１ｓの深さＤｄは、図３に示すように、光ファイバー５の直径Ｄｒに対して５〜５０〔％〕に選定する。このような選定を行えば、良好な加工性を確保することができる。この際、溝部１１ｓ…の深さＤｄは、光ファイバー５の軸方向Ｆａの位置に対応して異ならせることが望ましい。具体的には、図４に示すように、光ファイバー５の軸方向Ｆａにおける中央位置における溝部１１ｓの深さＤｄを最大に設定し、両端位置へ行くに従って溝部１１ｓ…の深さＤｄ…を漸次浅く設定することができる。このように、光ファイバー５の軸方向Ｆａの位置に対応して溝部１１ｓ…の深さＤｄ…を異ならせれば、光ファイバー５の軸方向Ｆａにおける照射量，照射範囲及び照射方向等の照射特性を任意に調整することができ、発光ユニット４…の配列構成等に応じて最適な照射特性を設定できる。
【００２５】
さらに、溝部１１ｓ…の表面には、所定の反射処理部１２を設ける。反射処理部１２としては、例えば、図３に仮想線で示すように、反射材２５を塗布することにより実施できる。このような反射処理部１２を設けることにより、反射処理部１２を設けない場合に比べてより明るさを高めることができるとともに、反射材２５の塗布等により容易に実施することができる。
【００２６】
他方、図６は、電気系回路図を示す。８は電源回路部であり、口金部２ａ，２ｂから入力する一次電源Ｐｆを二次電源Ｐｓに変換してＬＥＤ６ｐ…，６ｑ…に付与する電源変換回路３１を備える。電源変換回路３１としては、例えば、スイッチングレギュータを使用し、一次電源Ｐｆに、ＡＣ８０〜２２０〔Ｖ〕が印加された場合、二次電源Ｐｓに、ＤＣ１２〔Ｖ〕が得られるように設定できる。例示の電源回路部８は、既に設置されている蛍光灯（照明装置）に装着されている蛍光管に対して、照明用品１をそのまま交換して使用する場合を想定しているため、電源変換回路３１を内蔵させているが、例えば、商用交流電源に直接接続して使用する専用の照明装置に照明用品１を装着する場合には、電源変換回路３１を照明装置の本体側に設けることができる。したがって、この場合には、一次電源Ｐｆとして、ＤＣ１２〔Ｖ〕を口金部２ａ，２ｂに供給できるため、電源回路部８には、口金部２ａ，２ｂに入力する一次電源Ｐｆを直接ＬＥＤ６ｐ，６ｑ…に付与する構成を採用できる。
【００２７】
なお、ディメンションとして、エンベロープ部３の全長を１１９７〔ｍｍ〕、光ファイバー５の直径を１４〔ｍｍ〕、光ファイバー５の長さを１００〔ｍｍ〕、ＬＥＤ６ｐ…と６ｑ…をそれぞれ３個、発光ユニット４…の数量を１列１０個を２列（合計２０個）により構成すれば、一般的な４０〔Ｗ〕相当の蛍光管に代用できる照明用品１を得ることができる。
【００２８】
よって、このような本実施形態に係る照明用品１によれば、半透明のエンベロープ部３と、このエンベロープ部３に付設した口金部２ａ，２ｂと、エンベロープ部３の内部に収容し、所定長さの光ファイバー５…の両端に発光ダイオード６ｐ…，６ｑ…が対向する発光ユニット４…を配列させた発光部７と、口金部２ａ，２ｂに入力する一次電源Ｐｆを二次電源Ｐｓに変換して発光ダイオード６ｐ…，６ｑ…に付与する電源回路部８とを備えるため、全体における均一な照射性能及び所定の明るさ性能を確保できる発光ダイオード６ｐ…，６ｑ…を用いた照明用品１、特に、蛍光管に似せた好適な照明用品１を容易に実用化することができる。また、外周面５ｆの一部５ｆｐにおける軸方向Ｆａに、当該軸方向Ｆａに対して直角方向となる断面Ｖ形の溝部１１ｓ…を順次形成し、外周面５ｆの残部５ｆｒを照射面とした光ファイバー５を用いたため、溝部１１ｓ…を形成しない光ファイバーに比べて、一定の消費電力当たりの明るさをより高めることができる。
【００２９】
次に、本発明の変更実施形態に係る照明用品１の変更実施形態について、図７〜図９を参照して説明する。
【００３０】
図７及び図８は、特に、光ファイバー５を、中空部５ｏを有するパイプ形に形成することにより、内周面５ｉの軸方向Ｆａに、スパイラル状（又はリング状）の溝部１１ｓ…を順次形成し、外周面５ｆを照射面としたものである。この光ファイバー５は中空部５ｏを有するため、ＬＥＤ６ｐ…，６ｑ…は、光ファイバー５の両端であって、図７に示すように、内周面５ｉと外周面５ｆ間に配することができる。例示はそれぞれ片側に４個ずつのＬＥＤ６ｐ…，６ｑ…を配した場合を示す。
【００３１】
この場合、光ファイバー５の直径を２０〜３０〔ｍｍ〕に、長さを１００〜５００〔ｍｍ〕に、内周面５ｉと外周面５ｆ間の厚さＤｗを６〜８〔ｍｍ〕に選定することが効率の観点から望ましい。また、断面Ｖ形の溝部１１ｓの角度Ｒは７５〜９０〔゜〕、望ましくは８４〔゜〕に選定する。溝部１１ｓ…を形成するに際しての他の条件は、前述した図１〜図４に示した溝部１１ｓ…に準じることができる。なお、例示の溝部１１ｓ…は、ネジ孔のようにスパイラル状に連続形成したが、リング状の溝部１１ｓを軸方向Ｆａへ順次形成してもよい。この際、スパイラル状の溝部１１ｓ…は、後加工により形成できるとともに、リング状の溝部１１ｓ…は、金型成形等により形成できる。その他、図７及び図８において、図１〜図６と同一部分には同一符号を付し、その構成を明確にするとともに、その詳細な説明は省略する。
【００３２】
図７及び図８に示す変更実施形態に係る照明用品１（光ファイバー５）によれば、溝部１１ｓ…を形成しない光ファイバーに比べて、より明るさを高めることができることに加え、特に、光ファイバー５における外周面５ｆの全面を照射面にできるため、使い勝手や汎用性をより高めることができる。しかも、中空部５ｏを有するため、大幅な重量削減を図ることができる。
【００３３】
一方、図９は、光ファイバー５として、中空部５ｏを有するパイプ形に形成することにより、内周面５ｉの軸方向Ｆａに、リング状（又はスパイラル状）の溝部１１ｓ…を順次形成し、外周面５ｆを照射面とした基本的な構成は、図７及び図８に示した変更実施形態と同じであるが、内周面５ｉと外周面５ｆ間の厚さＤｗを極力薄く（例示は、０．２〔ｍｍ〕）し、内周面５ｉに断面三角形の山部１１ｍ…を形成した点が図７及び図８に示した変更実施形態と異なる。この場合、光ファイバー５の外径は５〜３０〔ｍｍ〕に選定でき、山部１１ｍの高さは、例えば、光ファイバー５の外径が５．５〔ｍｍ〕の場合、１．２〔ｍｍ〕に選定できる。また、山部１１ｍの角度は７５〜９０〔゜〕、望ましくは８４〔゜〕に選定できる。さらに、各山部１１ｍ…の高さは、光ファイバー５の軸方向Ｆａの位置に対応して異ならせることができる。具体的には、前述した図４に示した特性と同様に、光ファイバー５の軸方向Ｆａにおける中央位置における山部１１ｍの高さを最大に設定し、両端位置へ行くに従って山部１１ｍ…の高さを漸次低く設定することができる。したがって、山部１１ｍ…と溝部１１ｓ…は基本的には同じ概念である。そして、ＬＥＤ６ａ（６ｂ）は、中空部５ｏの内部に収容して発光ユニット４を構成する。例示は、外径５．５〔ｍｍ〕の光ファイバー５の両端にＬＥＤ６ａ（６ｂ）をそれぞれ１個収容したものであるが、外径２８〔ｍｍ〕の光ファイバー５の場合にはＬＥＤ６ａ…（６ｂ…）をそれぞれ１０個配することができる。また、光ファイバー５の長さは任意であるが、外径が５．５〔ｍｍ〕の場合は２００〔ｍｍ〕、外径が２８〔ｍｍ〕の場合は３００〔ｍｍ〕が最適である。なお、光ファイバー５の内面（山部１１ｍ…の表面）には、光を外部に放出する塗料を塗布することが望ましい。
【００３４】
他方、照明用品１を構成するに際しては、エンベロープ３の内部に、プラスチック素材又はアルミニウム素材等の軽量素材で形成した円筒基体３ｉを同軸上に配し、この円筒基体３ｉの外周面に複数の発光ユニット４…を配列する。この場合、発光ユニット４…の軸方向を円筒基体３ｉの軸方向に一致させるとともに、周方向に一定間隔毎に複数（例示は１０個）の発光ユニット４…を配する。例示の場合、エンベロープ３は、外径３２〔ｍｍ〕のガラス管を使用し、円筒基体３ｉは、外径１４〔ｍｍ〕，厚さ１〔ｍｍ〕のアクリル樹脂製であって表面に反射塗料を塗布したものを使用した。その他、４１はエンベロープ３と円筒基板３ｉの位置決めを行うドーナツ形の位置決めブロックを示す。なお、図９において、図１〜図８と同一部分には同一符号を付し、その構成を明確にするとともに、その詳細な説明は省略する。
【００３５】
図９に示す変更実施形態に係る照明用品１（光ファイバー５）によれば、図７及び図８に示した変更実施形態に係る照明用品１に比べて更なる重量削減を図ることができる。具体的には、図１〜図４の実施形態に比べて概ね１／１０程度に、図７及び図８の変更実施形態に比べて概ね１／６程度に、それぞれ重量削減を図ることができる。また、照明用品１（エンベロープ３）の全面を照射面にできるため、使い勝手や汎用性をより高めることができる。
【００３６】
以上、好適実施形態（変更実施形態）について詳細に説明したが、本発明は、このような実施形態に限定されるものではなく、細部の構成，形状，素材，数量，数値等において、本発明の要旨を逸脱しない範囲で、任意に変更，追加，削除することができる。
【００３７】
例えば、エンベロープ部３は半透明により形成した場合を示したが、透明であってもよい。また、光ファイバー５の両端に発光ダイオード６ｐ，６ｑを対向させた場合を示したが、光ファイバー５の一端にのみ発光ダイオード６ｐ（又は６ｑ）を対向させてもよいし、発光ユニット４は一つの場合を排除するものではない。一方、光ファイバー５の断面形状は、円形のみならず多角形や楕円であってもよい。溝部１１ｓ（又は山部１１ｍ）は、角度Ｒａ，Ｒｂを異ならせることにより非対称となる鋸刃形状に形成してもよいし、直線状のみならず、径方向や軸方向に湾曲させたり傾斜させてもよい。したがって、軸方向Ｆａに対して直角方向の溝部１１ｓとは、正確な直角方向を意味するものではなく、本発明の効果を得れる範囲であれば、その角度及び方向は当該直角方向に許容される。また、溝部１１ｓ…（又は山部１１ｍ…）は、例示のように間隔を置くことなく連続形成してもよいし、所定間隔置きに形成してもよい。さらに、軸方向Ｆａに順次形成する溝部１１ｓ…の列は一列の場合を例示したが二列以上設けてもよい。他方、反射処理部１２を設けるに際しては、反射シートを貼付けたり蛍光塗料を塗布してもよい。なお、照明用品１は、直管形の蛍光管に似せて構成した場合を示したが、丸形の蛍光管であってもよいし、既存の蛍光管に似ていない形態であってもよい。
【産業上の利用可能性】
【００３８】
本発明に係る照明用品１の用途は、照明用途のみならず、表示用途や信号用途等の各種用途に利用することができる。
【符号の説明】
【００３９】
１：照明用品，２ａ：口金部，２ｂ：口金部，３：エンベロープ部，４…：発光ユニット，５…：光ファイバー，５ｆ：外周面，５ｆｐ：外周面の一部，５ｆｒ：外周面の残部，５ｏ：中空部，５ｉ：内周面，６ｐ…：発光ダイオード，６ｑ…：発光ダイオード，７：発光部，８：電源回路部，１１ｓ…：溝部，１１ｍ…：山部，１２：反射処理部，Ｐｆ：一次電源，Ｐｓ：二次電源，Ｆａ：軸方向，Ｒ：断面Ｖ形の角度，Ｄｄ：溝部の深さ，Ｄｒ：光ファイバーの直径
【図１】
2010165465.tif 000003
【図２】
2010165465.tif 000004
【図３】
2010165465.tif 000005
【図４】
2010165465.tif 000006
【図５】
2010165465.tif 000007
【図６】
2010165465.tif 000008
【図７】
2010165465.tif 000009
【図８】
2010165465.tif 000010
【図９】
2010165465.tif 000011